(57)【要約】【課題】  動作遅れ時間が変化しても、十分に過電流を抑制することが可能な過電流抑制装置を提供することを目的とする。【解決手段】  励磁開始信号生成手段２３において、電圧検出手段２１から出力されるゼロクロス信号と記録手段２９で記録される対温度動作遅れ時間情報の動作遅れ時間とから励磁開始信号を生成し電磁開閉器励磁手段２４に出力する。そして、電磁開閉器励磁手段２４において、電磁開閉器１６の励磁を開始する。また、電磁開閉器動作遅れ時間検出手段３０において、電流検出手段２８から出力される電流信号が示す電流が閾値よりも大きいとき、記録手段２９に記録される対温度動作遅れ時間情報の動作遅れ時間を更新し、次回以降の系統連系時に使用する。【選択図】      図１
2005168213.tif 000002
【特許請求の範囲】
【請求項１】
直流電源より得られる電力を電磁開閉器を介して交流電力を出力し電力系統に供給する発電システムにおいて、電力の連系を開始する際に前記電力系統から流れる過電流を抑制する過電流抑制装置であって、
前記電力系統の出力電圧を検出し、該出力電圧がゼロとなるときゼロクロス信号を出力する電圧検出手段と、
前記発電システムの使用環境に応じて、前記電磁開閉器の励磁開始から接点閉路までにかかる動作遅れ時間を推定する動作遅れ時間推定手段と、
前記電圧検出手段から出力されるゼロクロス信号と前記動作遅れ時間推定手段で推定された動作遅れ時間とに基づいて、前記電磁開閉器の励磁開始タイミングを表す励磁開始信号を出力する励磁開始信号生成手段と、
前記励磁開始信号に基づいて、前記電磁開閉器の励磁を開始する電磁開閉器励磁手段と、
を備えることを特徴とする過電流抑制装置。
【請求項２】
請求項１に記載の過電流抑制装置であって、
前記動作遅れ時間推定手段は、前記発電システム内の温度を検出する温度検出手段を備え、
前記温度検出手段で検出される温度に応じて、前記動作遅れ時間を推定することを特徴とする過電流抑制装置。
【請求項３】
請求項１に記載の過電流抑制装置であって、
前記動作遅れ時間推定手段は、前記動作遅れ時間を示す動作遅れ時間情報を記録する記録手段と、
前記励磁開始信号に従って前記電磁開閉器が接点閉路した際に、前記電力系統から前記発電システムに流れる電流を検出する電流検出手段と、
を備え、
前記電流検出手段で検出される電流に応じて、前記動作遅れ時間情報における動作遅れ時間を更新することを特徴とする過電流抑制装置。
【請求項４】
請求項１に記載の過電流抑制装置であって、
前記動作遅れ時間推定手段は、前記電磁開閉器における励磁開始から接点閉路までにかかる動作遅れ時間の温度依存関係を示す対温度動作遅れ時間情報を記録する記録手段と、
前記発電システム内の温度を検出する温度検出手段と、
前記励磁開始信号に従って前記電磁開閉器が接点閉路した際に、前記電力系統から前記発電システムに流れる電流を検出する電流検出手段と、
を備え、
前記対温度動作遅れ時間情報を利用して前記温度検出手段で検出される温度に対応する前記動作遅れ時間を推定すると共に、前記電流検出手段で検出される電流が閾値よりも大きいとき、前記対温度動作遅れ時間情報における動作遅れ時間を更新することを特徴とする過電流抑制装置。
【発明の詳細な説明】
【技術分野】
【０００１】
本発明は、直流電源より得られる電力を電力系統に供給する発電システムに関し、特には、電力の連系を開始する際に電力系統から流れる過電流を抑制する過電流抑制装置に関する。
【背景技術】
【０００２】
従来より、直流電源より得られる電力を電力系統に供給する発電システムとして様々な形態が考えられている。
図５は、従来における発電システムの形態例を示す図である。
図５に示す発電システム５０では、太陽電池や燃料電池などの直流電源５１より生じる直流電力をＤＣ−ＤＣコンバータ５２で昇圧した後、その昇圧した直流電力をインバータ５３により交流電力に変換する。そして、交流電力に変換された電力は、出力正弦化フィルタ５４により高調波が除去され、正弦波の交流電力として、電磁開閉器５５を介して電力系統５６に供給される。
【０００３】
上記発電システム５０では、電磁開閉器５５を接点閉路してからインバータ５３の運転を開始し、インバータ５３の出力を電力系統５６に供給する構成であるため、電磁開閉器５５が接点閉路する前の出力正弦化フィルタ５４のコンデンサ５７には電荷が蓄積されていない。そのため、電磁開閉器５５が接点閉路するタイミングにおいて、電力系統５６から電磁開閉器５５を介して出力正弦化フィルタ５４のコンデンサ５７に充電電流が流れる場合がある。
【０００４】
そして、電力系統５６の電圧が大きいときに電力開閉器５５を接点閉路してしまうと、大きな電流（以下、過電流という）が発電システム５０に流れ込む場合があり、発電システム５０を構成する部品、例えば、コンデンサ５７などを破損させたり、コンデンサ５７などの寿命を低下させたりするという問題がある。
【０００５】
また、過電流が電力系統５６から流れ込むことにより、一時的に発電システム５０に接続される電路の電圧を低下させるため、その電路に接続される他の発電システムや電気機器に対して悪影響を及ぼす可能性があるという問題がある。
そこで、図５に示すように、発電システム５０において、予め測定しておいた電磁開閉器５５の励磁（電磁開閉器５５のオン、オフのスイッチを構成する励磁コイルの励磁）から実際に電磁開閉器５５が接点閉路するまでの動作遅れ時間を示す動作遅れ時間情報５８、電力系統５６の出力電圧を検出し、電力系統５６の出力電圧がゼロとなるときゼロクロス信号を出力する電圧検出手段５９、ゼロクロス信号と動作遅れ時間情報５８とから電力系統５６の出力電圧がゼロ付近で電磁開閉器５５を接点閉路にさせるタイミングを求め、電磁開閉器５５の励磁を開始させる励磁開始信号を出力する励磁開始信号生成手段６０、及び励磁開始信号により電磁開閉器５５の励磁を開始する電磁開閉器励磁手段６１を備え、電力系統５６の出力電圧がゼロ付近となるタイミングで電磁開閉器５５を接点閉路させることが考えられている。（例えば、特許文献１参照）
このように、電力系統５６の出力電圧がゼロ付近なるときに電磁開閉器５５を接点閉路させることができるので、電磁開閉器５５が接点閉路する際に電力系統５６から流れる過電流を抑制することができる。
【特許文献１】特開２００３−１３４６７０号  （第３〜４頁、第１図）
【発明の開示】
【発明が解決しようとする課題】
【０００６】
しかしながら、電磁開閉器５５の動作遅れ時間は、発電システム５０における様々な使用環境により変化してしまうため、上述のように、予め測定された動作遅れ時間を使用して電磁開閉器５５を接点閉路させるタイミングを求める構成では、過電流の抑制に十分な効果が得られない可能性がある。
【０００７】
そこで、本発明では、動作遅れ時間が変化しても、十分に過電流を抑制することが可能な過電流抑制装置を提供することを目的とする。
【課題を解決するための手段】
【０００８】
上記の課題を解決するために本発明では、以下のような構成を採用した。
すなわち、本発明の過電流抑制装置は、直流電源より得られる電力を電磁開閉器を介して交流電力を出力し電力系統に供給する発電システムにおいて、電力の連系を開始する際に前記電力系統から流れる過電流を抑制する過電流抑制装置であって、前記電力系統の出力電圧を検出し、該出力電圧がゼロとなるときゼロクロス信号を出力する電圧検出手段と、前記発電システムの使用環境に応じて、前記電磁開閉器の励磁開始から接点閉路までにかかる動作遅れ時間を推定する動作遅れ時間推定手段と、前記電圧検出手段から出力されるゼロクロス信号と前記動作遅れ時間推定手段で推定された動作遅れ時間とに基づいて、前記電磁開閉器の励磁開始タイミングを表す励磁開始信号を出力する励磁開始信号生成手段と、前記励磁開始信号に基づいて、前記電磁開閉器の励磁を開始する電磁開閉器励磁手段とを備えることを特徴とする。
【０００９】
このように、発電システムにおける使用環境に応じて動作遅れ時間を推定し、その推定した動作遅れ時間とゼロクロス信号とにより、励磁開始信号を生成しているので、たとえ、使用環境により動作遅れ時間が変化しても、電力系統の出力電圧がゼロとなるときに電磁開閉器を接点閉路させることができる。これにより、動作遅れ時間が変化しても、電流系統から直流電源側に流れる過電流を抑制することができる。
【００１０】
また、上記過電流抑制装置の動作遅れ時間推定手段は、前記発電システム内の温度を検出する温度検出手段を備え、前記温度検出手段で検出される温度に応じて、前記動作遅れ時間を推定するように構成してもよい。
これにより、発電システム内の温度が変化して動作遅れ時間が変化しても、電力系統の出力電圧がゼロとなるときに電磁開閉器を接点閉路することができるので、電力系統から直流電源側に流れる過電流を抑制することができる。
【００１１】
また、上記過電流抑制装置の動作遅れ時間推定手段は、前記動作遅れ時間を示す動作遅れ時間情報を記録する記録手段と、前記励磁開始信号に従って前記電磁開閉器が接点閉路した際に、前記電力系統から前記発電システムに流れる電流を検出する電流検出手段とを備え、前記電流検出手段で検出される電流に応じて、前記動作遅れ時間情報における動作遅れ時間を更新するように構成してもよい。
【００１２】
これにより、発電システムにおける経年変化により動作遅れ時間が変化しても、電力系統の出力電圧がゼロとなるときに電磁開閉器を接点閉路することができるので、電力系統から直流電源側に流れる過電流を抑制することができる。
また、上記過電流抑制装置の動作遅れ時間推定手段は、前記電磁開閉器における励磁開始から接点閉路までにかかる動作遅れ時間の温度依存関係を示す対温度動作遅れ時間情報を記録する記録手段と、前記発電システム内の温度を検出する温度検出手段と、前記励磁開始信号に従って前記電磁開閉器が接点閉路した際に、前記電力系統から前記発電システムに流れる電流を検出する電流検出手段とを備え、前記対温度動作遅れ時間情報を利用して前記温度検出手段で検出される温度に対応する前記動作遅れ時間を推定すると共に、前記電流検出手段で検出される電流が閾値よりも大きいとき、前記対温度動作遅れ時間情報における動作遅れ時間を更新するように構成してもよい。
【００１３】
これにより、発電システム内の温度変化や発電システムにおける経年変化により動作遅れ時間が変化しても、電力系統の出力電圧がゼロとなるときに電磁開閉器を接点閉路することができるので、電力系統から直流電源側に流れる過電流を抑制することができる。
【発明の効果】
【００１４】
本発明によれば、発電システムにおける使用環境に応じて動作遅れ時間が変化しても、電力系統の出力電圧がゼロとなるタイミングで電磁開閉器を接点閉路させることができる。これにより、動作遅れ時間が変化しても、電流系統から流れる過電流を抑制することができる。
【発明を実施するための最良の形態】
【００１５】
以下、本発明の実施形態を図面を用いて説明する。
図１は、本発明の実施形態の過電流抑制装置を示す図である。
図１に示すように、発電システム１０は、太陽電池や燃料電池などの直流電源１１と、直流電源１１で生じる直流電力を昇圧するＤＣ−ＤＣコンバータ１２と、ＤＣ−ＤＣコンバータ１２で昇圧された直流電力を交流電力に変換するインバータ１３と、インバータ１３により変換された交流電力に含まれる高調波を除去し正弦波の交流電力として交流電力を出力する電力系統１４に供給する出力正弦化フィルタ１５と、電力系統１４と出力正弦化フィルタ１５との間に設けられる電磁開閉器１６と、過電流抑制装置１７とを備えて構成される。
【００１６】
また、上記出力正弦化フィルタ１５は、例えば、コンデンサ１８とリアクタ１９とから構成される積分回路である。
また、上記電磁開閉器１６は、例えば、励磁コイル２０が励磁されることにより接点閉路し、発電システム１０側の電路と電力系統１４側の電路を電気的に接続させる回路である。
【００１７】
また、上記過電流抑制装置１７は、電力系統１４の出力電圧を検出し、電力系統１４の出力電圧がゼロになるときゼロクロス信号を出力する電圧検出手段２１と、電磁開閉器１６の励磁開始から実際に電磁開閉器１６が接点閉路までにかかる動作遅れ時間を推定する動作遅れ時間推定手段２２と、電圧検出手段２１から出力されたゼロクロス信号と動作遅れ時間推定手段２２で推定された動作遅れ時間とに基づいて、電磁開閉器１６の励磁を開始させるための励磁開始信号を出力する励磁開始信号生成手段２３と、励磁開始信号生成手段２３から出力される励磁開始信号に基づいて、電磁開閉器１６の励磁を開始する電磁開閉器励磁手段２４とを備えて構成される。
【００１８】
また、上記動作遅れ時間推定手段２２は、電磁開閉器１６付近などに設けられるサーミスタ２５の電圧に基づいて電磁開閉器１６付近の温度を検出する温度検出手段２６と、出力正弦化フィルタ１５と電磁開閉器１６との間に設けられるシャント抵抗２７の電圧に基づいて電磁開閉器１６が接点閉路した際に電力系統１４から発電システム１０側に流れる電流（電力系統１４から出力正弦化フィルタ１５のリアクタ１９に流れる充電電流（逆電流））を検出し、その検出した電流を示す電流信号を出力する電流検出手段２８と、予め測定しておいた動作遅れ時間の温度依存関係を示す対温度動作遅れ時間情報を記録する記録手段２９と、電流検出手段２８より出力された電流信号が示す電流と閾値とを比較し、その電流が閾値よりも大きいとき、記録手段２９に記録される対温度動作遅れ時間情報における動作遅れ時間を更新する電磁開閉器動作遅れ時間検出手段３０とを備えて構成される。なお、温度検出手段２６が温度検出する場所は、電磁開閉器１６付近に限定されない。また、電流検出手段２８は、出力正弦化フィルタ１５と電磁開閉器１６との間に設けられるＣＴ（Ｃｕｒｒｅｎｔ  Ｔｒａｎｓｆｏｒｍｅｒ）の出力に基づいて電力系統１４から発電システム１０に流れる電流を検出するように構成してもよい。
【００１９】
次に、過電流抑制装置１７の動作について説明する。
過電流抑制装置１７の励磁開始信号生成手段２３は、外部から系統連系開始指令が入力されると、電圧検出手段２１から出力されるゼロクロス信号と記録手段２９で記録される対温度動作遅れ時間情報の動作遅れ時間とに基づいて、励磁開始信号を生成し電磁開閉器励磁手段２４に出力する。そして、電磁開閉器励磁手段２４は、電磁開閉器１６の励磁を開始する。
【００２０】
また、電磁開閉器動作遅れ時間検出手段３０は、電流検出手段２８から出力される電流信号が示す電流が閾値よりも大きいとき、記録手段２９に記録される対温度動作遅れ時間情報のおける動作遅れ時間を更新する。そして、電磁開閉器動作遅れ時間検出手段３０により更新された対温度動作遅れ時間情報は、次回以降の系統連系時に使用される。
【００２１】
図２は、動作遅れ時間の温度依存関係を示す図である。なお、図２に示すグラフの縦軸は、動作遅れ時間を、横軸は温度をそれぞれ示している。
励磁開始信号生成手段２３は、例えば、温度検出手段２６で検出された温度が−２５℃であるとき、その検出された温度−２５℃に対応する１５ｍｓの動作遅れ時間を使用して、励磁開始信号を生成する。また、温度検出手段２６で検出された温度が５５℃であるとき、その検出された温度５５℃に対応する１７ｍｓの動作遅れ時間を使用して励磁開始信号を生成する。
【００２２】
また、電磁開閉器動作遅れ時間検出手段３０は、例えば、電流検出手段２８から出力される電流信号の示す電流が閾値を超えると、その電流が超えたときに計測された電磁開閉器１６の励磁開始から電磁開閉器１６が接点閉路するまでにかかる動作遅れ時間１６ｍｓを、その電流が超えたときに温度検出手段２６が検出した温度−２５℃に対応する動作遅れ時間とする。すなわち、電磁開閉器動作遅れ時間検出手段３０は、電流信号の示す電流が閾値を超えると、温度検出手段２６で検出された温度−２５℃に対応する動作遅れ時間１５ｍｓを、電流が閾値を超えたときにカウンタがカウントした動作遅れ時間１６ｍｓに更新する。
【００２３】
なお、温度検出手段２６により検出される温度が対温度動作遅れ時間情報にない場合は、その検出される温度の前後の既知の対温度動作遅れ時間情報を用いて直線補間などにより、その検出される温度に対応する動作遅れ時間を推定するようにしてもよい。
図３は、動作遅れ時間の更新を説明するための図であり、図３（ａ）は、電力系統１４の出力電圧と動作遅れ時間ｘとの関係を、図３（ｂ）は、電流検出手段２８で検出される電流と閾値との関係を、図３（ｃ）は、電磁開閉器動作遅れ時間検出手段３０におけるカウンタに対するタイミング信号を、図３（ｄ）は、動作遅れ時間が適切と判断されたときの電力系統１４の出力電圧と動作遅れ時間との関係をそれぞれ示している。
【００２４】
例えば、電力系統１４の出力電力の周波数を５０Ｈｚ、温度検出手段２６で検出された温度が−２５℃、検出された温度−２５℃に対応する動作遅れ時間が１５ｍｓである場合を考える。このような場合、図３（ａ）に示すように、電力系統１４の出力電圧の１周期は、２０ｍｓとなる。また、励磁開始信号生成手段２３は、対温度動作遅れ時間情報に基づいて、検出された温度−２５℃から動作遅れ時間１５ｍｓを求め、電力系統１４の出力電圧の１周期２０ｍｓと動作遅れ時間１５ｍｓとの差分５ｍｓを算出し、電力系統１４の出力電圧がゼロとなるタイミング（ゼロクロス点）から５ｍｓ後に励磁開始信号を出力する。
【００２５】
しかしながら、図３（ｂ）に示すように、電磁開閉器１６が接点閉路し電流検出手段２８で検出される電流が閾値を超えるとき、すなわち、温度−２５℃に対応する動作遅れ時間１５ｍｓが不適切であると判断されたとき、電磁開閉器動作遅れ時間検出手段３０は、励磁開始信号生成手段２３の励磁開始信号出力から電流検出手段２８の電流検出までにかかった時間１６ｍｓ（図３（ｃ）に示すカウンタの出力信号のターンオフ時のフリーランタイマの値２６ｍｓからカウンタの出力信号のターンオン時のフリーランタイマの値１０ｍｓを引いたときの差１６ｍｓ）を温度−２５℃に対応する動作遅れ時間とする。
【００２６】
そして、次回以降の系統連系において、図３（ｄ）に示すように、励磁開始信号生成手段２３は、検出される温度が−２５℃のとき、更新された動作遅れ時間１６ｍｓを使用して電力系統１４の出力電圧のゼロクロス点から４ｍｓ後に励磁開始信号を出力する。これにより、電力系統１４の出力電圧がゼロのときに電磁開閉器１６を接点閉路させることができる。
【００２７】
次に、電磁開閉器動作遅れ時間検出手段３０の動作について説明する。
図４は、電磁開閉器動作遅れ時間検出手段３０の動作を示すフローチャートである。
まず、ステップＳ１において、電磁開閉器動作遅れ時間検出手段３０は、フラグ（Ｆｌｕｇ）が１または０のどちらかを確認する。なお、フラグが１であれば、動作遅れ時間が監視中であることを示し、フラグが０であれば、動作遅れ時間は監視中でないことを示している。
【００２８】
次に、ステップＳ１において、フラグが０であると確認される場合（ステップＳ１がＮ（Ｎｏ））、ステップＳ２において、電磁開閉器動作遅れ時間検出手段３０は、電磁開閉器１６の励磁開始指令がＯＮ状変であるか否かを確認する。すなわち、例えば、ステップＳ２において、電磁開閉器動作遅れ時間検出手段３０は、励磁開始信号生成手段２３から励磁開始信号が出力されたか否かを確認する。
【００２９】
次に、ステップＳ２において、ＯＮ状変でないと確認される場合（ステップＳ２がＮ）、電磁開閉器動作遅れ時間検出手段３０は、動作遅れ時間の更新処理を抜ける。
また、ステップＳ２において、ＯＮ状変であると確認される場合（ステップＳ２がＹ（Ｙｅｓ））、電磁開閉器動作遅れ時間検出手段３０は、ステップＳ３において、フラグを１にセットすると共に、ステップＳ４において、過電流抑制装置１７を構成するＣＰＵなどの内部に備えられるフリーランタイマの値（Ｔｉｓ）をストアする。例えば、図３（ｃ）におけるフリーランタイマ値１０ｍｓをストアする。なお、一連の動作遅れ時間検出動作が終了されるまで、次回以降の更新処理において、ステップＳ４においてストアされたフリーランタイマ値の更新を行わないようにする。
【００３０】
次に、対温度動作遅れ時間情報に基づいて電磁開閉器１６が閉路されて、ステップＳ５において、電磁開閉器動作遅れ時間検出手段３０は、電流検出手段２８から出力される電流信号を受け取ると、ステップＳ４と同様に、フリーランタイマの値をストアする。例えば、図３（ｃ）におけるフリーランタイマ値２６ｍｓをストアする。
【００３１】
そして、ステップＳ６において、電磁開閉器動作遅れ時間検出手段３０は、電流信号の示す電流の絶対値（｜Ｉａｃ｜）が規定値の絶対値（閾値）（｜Ｉｊ｜）よりも大きいか否かを確認する。
そして、ステップＳ６において、電流信号の示す電流の絶対値が規定値の絶対値よりも大きいと確認される場合（ステップＳ６がＹ）、ステップＳ７において、電磁開閉器動作遅れ時間検出手段３０は、ステップＳ５でストアしたフリーランタイマ値からステップＳ４でストアしたフリーランタイマ値を引き、その差分の値（Ｔｉｄ）を新しい動作遅れ時間として算出する。例えば、図３（ｃ）におけるフリーランタイマ値２６ｍｓからフリーランタイマ値１０ｍｓを引き、その差分の値１６ｍｓを新しい動作遅れ時間とする。
【００３２】
次に、ステップＳ８において、電磁開閉器動作遅れ時間検出手段３０は、温度検出手段２６で検出された温度（Ｔｅｍｐ）をストアする。
そして、ステップＳ９において、電磁開閉器動作遅れ時間検出手段３０は、ステップＳ８でストアした温度に対応する対温度動作遅れ時間情報の動作遅れ時間をステップＳ７で算出した動作遅れ時間に更新する。
【００３３】
そして、ステップＳ１０において、電磁開閉器動作遅れ時間検出手段３０は、フラグを０にセットして、更新処理を終了する。
また、ステップＳ１において、フラグが１であると確認される場合（ステップＳ１がＹ）、電磁開閉器動作遅れ時間検出手段３０は、ステップＳ５から更新処理を行う。
【００３４】
また、ステップＳ６において、電流信号の示す電流の絶対値が規定値の絶対値よりも大きくないと確認される場合（ステップＳ６がＮ）、ステップＳ１１において、電磁開閉器動作遅れ時間検出手段３０は、ステップＳ５でストアしたフリーランタイマ値からステップＳ４でストアしたフリーランタイマ値を引き、その差分の値（Ｔｏｐ）を経過時間として算出する。
【００３５】
そして、ステップＳ１２において、電磁開閉器動作遅れ時間検出手段３０は、ステップＳ１１で算出した経過時間が動作保証時間（Ｔｃ：製品としてそれ以上動作は遅れないという時間）よりも大きいか否かを確認する。
そして、ステップＳ１２において、経過時間が動作保証時間よりも大きいと確認される場合（ステップＳ１２がＹ）、電磁開閉器動作遅れ時間検出手段３０は、ステップＳ１０から更新処理を行う。
【００３６】
また、ステップＳ１２において、経過時間が動作保証時間よりも大きくないと確認される場合（ステップＳ１２がＮ）、電磁開閉器動作遅れ時間検出手段３０は、更新処理を終了する。
なお、上記実施形態では、電磁開閉器動作遅れ時間検出手段３０は、対温度動作遅れ時間情報の動作遅れ時間を更新する構成であるが、電磁開閉器動作遅れ時間検出手段３０が温度に依存していない動作遅れ時間を更新し、励磁開始信号生成手段２３がこの温度に依存していない動作遅れ時間とゼロクロス信号とから励磁開始信号を生成するように構成してもよい。
【００３７】
また、上記実施形態では電流信号の示す電流の絶対値（｜Ｉａｃ｜）が規定値の絶対値（閾値）（｜Ｉｊ｜）より大きい場合に動作遅れ時間を更新したが、電流の大きさにかかわらず常に更新しても良い。
また、上記実施形態では電流検出手段２８をもちいて電流信号を電磁開閉器動作遅れ時間検出手段３０へ出力しているが、この構成に限らない。たとえば、電流そのものを検出しなくても電磁開閉器１６が閉路した正確な時間がわかればよい。この場合、ステップＳ６を飛ばしてステップＳ５からステップＳ７へ進めばよい。
【００３８】
このように、過電流抑制装置１７は、電磁開閉器１６の接点閉路時において、記録される動作遅れ時間が適切であるか否かを常に監視し、動作遅れ時間が適切でないときは適切な動作遅れ時間に更新しているので、遅れ時間を毎回推定し、発電システム１０内の温度変化や発電システム１０における経年変化などの使用環境により動作遅れ時間が変化しても、電力系統１４の出力電圧がゼロとなるときに、電磁開閉器１６を接点閉路させることができる。これにより、動作遅れ時間が変化しても、電流系統１４から発電システム１０に流れる過電流を抑制することができる。
【００３９】
また、過電流抑制装置１７は、直流電源１１の種類によらず、電磁開閉器１６によって電力系統１４と接続される発電システムすべてに適用することができる。
また、過電流抑制装置１７は、電磁開閉器１６付近の温度変化が大きい発電システムにおいて電力系統１４から流れる過電流を抑制することができる。
【図面の簡単な説明】
【００４０】
【図１】本発明の実施形態の過電流抑制装置を示す図である。
【図２】動作遅れ時間の温度依存関係を示す図である。
【図３】動作遅れ時間の更新を説明するための図である。
【図４】電磁開閉器動作遅れ時間検出手段の動作を示すフローチャートである。
【図５】従来の発電システムを示す図である。
【符号の説明】
【００４１】
１０      発電システム
１１      直流電源
１２      ＤＣ−ＤＣコンバータ
１３      インバータ
１４      電力系統
１５      出力正弦化フィルタ
１６      電磁開閉器
１７      過電流抑制装置
１８      コンデンサ
１９      リアクタ
２０      励磁コイル
２１      電圧検出手段
２２      動作遅れ時間推定手段
２３      励磁開始信号生成手段
２４      電磁開閉器励磁手段
２５      サーミスタ
２６      温度検出手段
２７      シャント抵抗
２８      電流検出手段
２９      記録手段
３０      電磁開閉器動作遅れ時間検出手段
【図１】
2005168213.tif 000003
【図２】
2005168213.tif 000004
【図３】
2005168213.tif 000005
【図４】
2005168213.tif 000006
【図５】
2005168213.tif 000007